(57)【要約】【課題】木製収納家具に調湿機能又は消臭機能を付与するための構造を、従来のものより簡略化し、比較的容易に製造できるようにしたものにおいて、作業性や歩留まりを良くした木製収納家具を提供する。【解決手段】側面部材(10,11)及び背面部材(220)を含み構成された収納部(26)を有する木製収納家具であって、少なくとも背面部材(220)の内面側に、多孔質セラミックス製の機能性部材(21)が貼り付けられており、背面部材(220)の内面側の周縁部に、組み立て時において機能性部材(21)に対して応力と衝撃が直接伝わるのを防止又は軽減するための、機能性部材(21)が貼り付けられていない所要幅の緩衝区域(224)を有する。【選択図】図１
2013141503.tif 000002
【特許請求の範囲】
【請求項１】
側面部材及び背面部材を含み構成された収納部を有する木製収納家具であって、
少なくとも前記背面部材の内面側に、多孔質セラミックス製の機能性部材が貼り付けられており、
前記背面部材の内面側の周縁部に、組み立て時において前記機能性部材に対して応力と衝撃が直接伝わるのを防止又は軽減するための、機能性部材が貼り付けられていない所要幅の緩衝区域を有する、
木製収納家具。
【請求項２】
木製収納家具が、戸棚、本箱、書棚、書類戸棚、茶箪笥、下駄箱、サイドボード、オープンボード、テレビボード、食器戸棚のうちの何れか一つである、
請求項１記載の木製収納家具。
【請求項３】
背面部材の内面側に多孔質セラミックス製の機能性部材が貼り付けられている機能性壁面部材を有する木製収納家具を製造する方法であって、
背面部材の内面側の中央部分に機能性部材を貼り付け、当該機能性部材の周縁には、家具製造時の機能性壁面部材の組み込み作業に伴う応力と衝撃が、貼り付けられている機能性部材に対し直接伝わるのを防止又は軽減するための、機能性部材が貼り付けられていない所要幅の緩衝区域が形成されるようにして、機能性壁面部材を形成するステップ、
機能性壁面部材を組み込む箇所に形成されている溝に、前記機能性壁面部材の背面部材の周縁部を入れて圧力又は打力を加えて、前記機能性壁面部材を収納家具に組み込むステップ、
を含む、
木製収納家具の製造方法。
【発明の詳細な説明】
【技術分野】
【０００１】
本発明は、木製収納家具及びその製造方法に関するものである。更に詳しくは、木製収納家具に調湿機能又は消臭機能を付与するための構造を従来のものより簡略化して比較的容易に製造することができるものにおいて、作業性や歩留まりを良くした木製収納家具及びその製造方法に関する。
【背景技術】
【０００２】
食器戸棚や本棚等、物品を収納する家具において、収納部内部の湿度を調節して黴の発生を防止したり悪臭の発生を防止する、調湿機能又は消臭機能を有する家具の一例としては、例えば特許文献１に開示された「調湿剤とそれを配置した家具類」がある。
【０００３】
この家具類は、４００〜９００℃で炭化した桐炭を平均直径１０〜２０ｍｍの破砕粒とした調湿剤を通気性の袋に収納する等し、家具において収納物の収納には影響を与えず、且つ、通気性の良い箇所に、調湿剤を配置したものであり、炭化した桐材の優れた抗菌、消臭、除湿の特性と吸着性を利用して、特に、衣類、食物の調湿状態を維持するというものである。
【先行技術文献】
【特許文献】
【０００４】
【特許文献１】特開平１１−５６９８８号公報
【発明の概要】
【発明が解決しようとする課題】
【０００５】
前記特許文献１に開示された家具類には、次のような課題があった。
すなわち、家具において収納物の収納には影響を与えず、且つ、通気性の良い箇所に、調湿剤を配置するために、家具に専用の配置箇所を形成したり、通気のための穴を形成する等、製造時において各部に様々な加工を施す必要がある。このため、家具の構造が複雑化すると共に、製造時の作業性が悪くなりやすく、製造しにくくなっていた。
【０００６】
そこで、本発明者は、前記課題を解決するための手段として、近年注目されてきている多孔質セラミック製でタイル状の機能性部材に着目した。例えば、このような機能性部材であるエコカラット（商標名：株式会社ＬＩＸＩＬ）は、調湿性、臭気の吸着性及び分解性、ＶＯＣ（volatile organic compounds：揮発性有機化合物）の吸着性及び分解性等に優れ、これをリビングや寝室、トイレ等の部屋の壁面等に施工することで、空気環境を改善したり良好に維持することができるというものである。
【０００７】
しかしながら、前記機能性部材を収納家具に利用しようとする場合、次のような課題があった。すなわち、特に木製の収納家具の製造にあたって、背面板等の構成部材を組み込んだり取り付ける作業において、壁面部材や天部材の溝に構成部材を入れた後、天部材に圧力又は打力（叩力）を加えて各部材を固着する作業が行われ、構成部材にはその際に相応の応力と衝撃が加わる。このため、例えば構成部材にあらかじめ前記多孔質セラミック製の機能性部材を貼設している場合、前記応力と衝撃が機能性部材に直接作用すると、機能性部材が欠ける等して破損したり、構成部材から剥がれ落ちてしまうおそれがあった。
【０００８】
また、このような不都合を回避するために、木製収納家具を組み立てた後に、構成部材である背面板等に機能性部材を接着剤等で貼設する作業を行うようにすると、収納部を構成する枠材等が作業の邪魔になり作業がしにくくなるのに加えて、特に家具を立てて作業した場合、貼設した機能性部材が垂れ落ちて補修する手間を要することがある等、安定した品質を得るためには、作業に要する時間が長くなり、作業性が極めて悪くなる課題があった。
【０００９】
本発明者は、このような多孔質セラミックス製の機能性部材を使用して木製収納家具の収納部内の湿度を調整したり消臭する等、収納部又は収納部周りの空気環境を改善したり良好に維持することができるようにし、且つこの木製収納家具を製造する際の作業性を良好にして製造効率を上げるために鋭意研究及び試行を重ね、本発明を完成するに至った。
【００１０】
（本発明の目的）
本発明は、木製収納家具に調湿機能又は消臭機能を付与するための構造を、従来のものより簡略化し、比較的容易に製造できるようにしたものにおいて、作業性や歩留まりを良くした木製収納家具を提供することを目的とする。
【００１１】
また、本発明の他の目的は、前記目的の達成のため、多孔質セラミックス製の機能性部材を使用することで木製収納家具の収納部内の湿度を調整したり消臭する等、収納部又は収納部周りの空気環境を改善したり良好に維持することができるようにし、且つこの木製収納家具を製造するにあたり、機能性部材が破損したり脱落したりしないようにすると共に、良好な作業性を確保して比較的容易に製造することができる木製収納家具及びその製造方法を提供することである。
【課題を解決するための手段】
【００１２】
上記課題を解決するために本発明が講じた手段は次のとおりである。
（１）本発明は、
側面部材及び背面部材を含み構成された収納部を有する木製収納家具であって、
少なくとも前記背面部材の内面側に、多孔質セラミックス製の機能性部材が貼り付けられており、
前記背面部材の内面側の周縁部に、組み立て時において前記機能性部材に対して応力と衝撃が直接伝わるのを防止又は軽減するための、機能性部材が貼り付けられていない所要幅の緩衝区域を有する、
木製収納家具である。
【００１３】
（２）本発明は、
木製収納家具が、戸棚、本箱、書棚、書類戸棚、茶箪笥、下駄箱、サイドボード、オープンボード、テレビボード、食器戸棚のうちの何れか一つである、
前記（１）の木製収納家具である。
【００１４】
（３）本発明は、
背面部材の内面側に多孔質セラミックス製の機能性部材が貼り付けられている機能性壁面部材を有する木製収納家具を製造する方法であって、
背面部材の内面側の中央部分に機能性部材を貼り付け、当該機能性部材の周縁には、家具製造時の機能性壁面部材の組み込み作業に伴う応力と衝撃が、貼り付けられている機能性部材に対し直接伝わるのを防止又は軽減するための、機能性部材が貼り付けられていない所要幅の緩衝区域が形成されるようにして、機能性壁面部材を形成するステップ、
機能性壁面部材を組み込む箇所に形成されている溝に、前記機能性壁面部材の背面部材の周縁部を入れて圧力又は打力を加えて、前記機能性壁面部材を収納家具に組み込むステップ、
を含む、
木製収納家具の製造方法である。
【００１５】
本明細書及び特許請求の範囲にいう「機能性部材」の用語は、多孔質セラミックスが有する空気環境を改善したり良好に維持するための機能性、例えば水蒸気の吸着及び排出性（調湿性）、臭気吸着性（消臭性）、ＶＯＣ吸着性等の各種機能を有する部材の意味で使用している。また、機能性部材は、多孔質セラミックスにより吸着した臭気物質やＶＯＣ粒子等を分解することができる物質、例えば光触媒である酸化チタン等の物質を含む構成とすることもできる。
【００１６】
（作用）
本発明に係る木製収納家具の作用を説明する。
木製収納家具は、収納部を構成する背面部材の内面側に、多孔質セラミックス製の機能性部材が貼り付けられている構造であるので、従来のように家具に専用の配置箇所を形成したり、通気のための穴を形成する等、製造時において各部に様々な加工を施す必要はなく、木製収納家具に調湿機能や消臭機能等を付与するための構造を従来のものより簡略化できる。したがって、このような機能性を有する木製収納家具を比較的容易に製造することが可能になる。
【００１７】
また、壁面部材の内面側の周縁部に、家具製造時において前記壁面部材を組み込む作業を行う際に、あらかじめ貼り付けられている機能性部材に対して、取り付け作業に伴う応力と衝撃が直接伝わるのを防止又は軽減するための、機能性部材が貼り付けられていない所要幅の緩衝区域が形成されているので、製造時の組み込み作業を行う際に、機能性部材が破損したり脱落したりしないようにするために、それほど注意を払う必要がなく、作業性を良好にすることができる。
【００１８】
更には、多孔質セラミックス製の機能性部材は、様々な加工を施すことができ、成形も自在にできるので、木製収納家具の収納部の意匠的な美観を高めることが可能になり、家具としての商品価値を十分に高めることができる。
【発明の効果】
【００１９】
（ａ）本発明は、収納部を構成する背面部材の内面側に、多孔質セラミックス製の機能性部材が貼り付けられている構造であるので、木製収納家具に調湿機能や消臭機能等を付与するための構造を従来のものより簡略化することができ、比較的容易に製造することができると共に、作業性や歩留まりを良くした木製収納家具を提供できる。
【００２０】
（ｂ）木製収納家具において、多孔質セラミックス製の機能性部材を使用することで木製収納家具の収納部内の湿度を調整したり消臭する等、収納部又は収納部周りの空気環境を改善したり良好に維持することができ、且つこの木製収納家具を製造するにあたり、機能性部材が破損したり脱落したりしないようにすると共に、良好な作業性を確保して比較的容易に製造することができる木製収納家具及びその製造方法を提供できる。
【図面の簡単な説明】
【００２１】
【図１】本発明に係る木製収納家具の一実施の形態を示す正面図。
【図２】図１におけるＡ−Ａ断面図。
【図３】図１に示した木製収納家具において、両扉を取り外し、全棚板を想像線で表して、機能性壁面部材が見えるようにした説明図。
【図４】図２におけるＰ部分を拡大した説明図。
【図５】本発明に係る木製収納家具の他の実施の形態を示す正面図。
【図６】図５におけるＢ−Ｂ箇所における一部断面説明図。
【発明を実施するための形態】
【００２２】
〔実施の形態〕
【００２３】
本発明を図面に示した実施の形態に基づき詳細に説明する。
図１乃至図４を参照する。
【００２４】
木製収納家具Ｃ１は、戸棚であり、後記する正面扉２４、２５のガラス板や各種金具類等を除いて木製材料で形成されている。木製収納家具Ｃ１は、下側の収納台部１と、この収納台部１の上に設けられている収納棚部２で構成されている。
【００２５】
前記収納台部１は、両側面板１０、１１、背面板１２、幕板を含む下面板１３及び上面板１４を有し、正面側に二枚の引き戸１５０、１５１を有する下部収納部１５と、この下部収納部１５の上部側の三箇所に並設された引出収納部１６、１７、１８が形成されている。下部収納部１５には、着脱自在な棚板１５２が二段に設けられている。なお、前記中央の引出収納部１７は、上下二段の引き出し（符号省略）で構成されている。
【００２６】
前記収納棚部２は、側面部材である両側面板２０、２１、機能性壁面部材２２、天板２３及び引き戸式の正面扉２４、２５を有し、前記収納台部１の上面板１４に固定されている。この構造により、前記各板や部材で囲まれた内部の空間は収納部２６となっている。この収納部２６の幅方向の中央には、補強部材を兼ねた区画板２７が、上面板１４と天板２３をつなぐように鉛直方向に設けられている。区画板２７には、縦長の長方形状の通気窓２７０が形成されている（図２参照）。また、両側面板２０、２１と区画板２７の間には、それぞれ着脱自在な棚板２６０が四段に設けられている。
【００２７】
前記機能性壁面部材２２は、背面部材である長方形状の背面板２２０を有しており、背面板２２０の内面側には多数の機能性部材２２１が貼設されている。各機能性部材２２１は、正方形のタイル状であり、本実施の形態では、縦横五枚ずつ、合計二十五枚を裏側に貼設したネット状の連結シートでつないだものを１単位として使用する。機能性部材２２１の貼設にあたっては、必要に応じてネットを切断して機能性部材２２１を切り離し、貼設面積に合わせて全体の形状を整えるようにしている。
【００２８】
また、本実施の形態では、機能性部材２２１として、多孔質セラミックス製のエコカラット（商標名：株式会社ＬＩＸＩＬ）を採用しているが、同様の機能性を有するものであれば、これに限定されない。エコカラットは、前記したように、調湿性、臭気の吸着性及び分解性、ＶＯＣの吸着性及び分解性等に優れており、これを施工することで施工箇所周りの空気環境を改善したり良好に維持することができる。
【００２９】
そして、各機能性部材２２１は、それぞれがほぼ隙間なく並べて貼設され、周縁部が縦長の長方形状となるようにして、背面板２２０の左右側の二箇所（前記区画板２７で区画された二箇所）に機能性区域２２２、２２３が形成されている（図３参照）。機能性区域２２２、２２３は、各機能性部材２２１で構成されることで、前記エコカラットが有する調湿性、臭気の吸着性及び分解性、ＶＯＣの吸着性及び分解性等の機能性を発揮する。
【００３０】
背面板２２０において、各機能性区域２２２、２２３の周囲には、機能性部材２２１が貼設されていない所要幅（例えば１２０ｍｍ）の緩衝区域２２４が全周にわたり形成されている（図３参照）。緩衝区域２２４は、後で説明するように機能性壁面部材２２の組み込み作業に伴う応力と衝撃が各機能性部材２２１に対して直接伝わるのを防止又は軽減するために設けられている区域である。なお、前記収納台部１の側面板１０、１１や天板２３等の内面側に、機能性壁面部材２２と同様に機能性部材２２１を貼設することもできる。
【００３１】
次に、図２及び図４に示した機能性壁面部材２２の組み込み構造とその作用及び木製収納家具Ｃ１の製造方法について説明する。
【００３２】
木製収納家具Ｃ１において、機能性壁面部材２２は、上面板１４、両側面板２０、２１及び天板２３の背面側の端部寄り（図２で右端部寄り）に設けられた溝（天板２３の溝２３０のみ図示しており、上面板１４、両側面板２０、２１の溝は図では見えない）に背面板２２０の外周縁部を入れた状態で固定されている（図４参照）。
【００３３】
木製収納家具Ｃ１の製造にあたっては、あらかじめ機能性部材２２１が貼り付けられていない所要幅の緩衝区域２２４が形成されるようにして、背面板２２０の内面側に機能性部材２２１を貼り付けて機能性壁面部材２２を形成しておく。
【００３４】
そして、機能性壁面部材２２を組み込む箇所、すなわち前記上面板１４、両側面板２０、２１及び天板２３の背面側の端部寄りに形成されている溝２３０等に接着剤を入れ、この溝２３０等に機能性壁面部材２２を構成する背面板２２０の周縁部を入れ込んで、例えばプレス機によって天板２３に対して圧力又は打力を加えるようにし、機能性壁面部材２２を前記各板に固定する。
【００３５】
このとき、背面板２２０の内面側の周縁部に機能性部材２２１が貼り付けられていない所要幅の緩衝区域２２４が形成されているので、家具製造時において前記機能性壁面部材２２を組み込む作業を行う際に、あらかじめ貼り付けられている機能性部材２２１に対して、取り付け作業に伴う応力と衝撃が直接伝わるのを防止又は軽減することができる。これにより、製造時において機能性壁面部材２２の組み込み作業を行う際に、機能性部材２２１が破損したり脱落したりしないようにするために、それほど注意を払う必要がなく、作業性を良好にすることができる。
【００３６】
このように、木製収納家具Ｃ１は、収納部２６を構成する機能性壁面部材２２の背面板２２０の内面側に、多孔質セラミックス製の機能性部材２２１が貼り付けられている構造であるので、従来のように家具に専用の配置箇所を形成したり、通気のための穴を形成する等、製造時において各部に様々な加工を施す必要はなく、木製収納家具に調湿機能や消臭機能等を付与するための構造を従来のものより簡略化できる。したがって、このような機能性を有する木製収納家具を比較的容易に製造することが可能になる。
【００３７】
更には、多孔質セラミックス製の機能性部材２２１は、様々な加工を施すことができ、成形も自在にできるので、木製収納家具の収納部２６の壁面等の意匠的な美観を高めることが可能になり、家具としての商品価値を十分に高めることができる。
【００３８】
図５、図６を参照する。
木製収納家具Ｃ２は、オープンボードであり、後記する正面扉２４ａ、２５ａのガラス板や各種金具類等を除いて木製材料で形成されている。木製収納家具Ｃ２は、下側の収納台部１ａと、この収納台部１ａの上に設けられている収納棚部２ａで構成されている。
【００３９】
前記収納台部１ａは、両側面板１０ａ、１１ａ、背面板１２ａ、幕板を含む下面板１３ａ及び上面板１４ａを有し、正面側に二枚の引き戸１５０ａ、１５１ａを有する下部収納部（符号省略）と、この下部収納部の上部側の五箇所（下側の二箇所及び上側の三箇所）に並設された引出収納部１５ａ、１６ａ、１７ａ、１８ａ、１９ａが形成されている。
【００４０】
前記収納棚部２ａは、側面部材である両側面板２０ａ、２１ａ、機能性壁面部材２２ａ、天板２３ａを有し、前記収納台部１ａの上面板１４ａに固定されている。この構造により、前記各板や部材で囲まれた内部の空間は作業台を兼ねた収納部２６ａとなっている。
【００４１】
また、収納部２６ａの上部側には、二枚の引き戸式の正面扉２４ａ、２５ａを有する上部収納部２７ａを備えている。上部収納部２７ａの幅方向の中央には、区画板２８ａ（図６に図示）が設けられ、上部収納部２７ａの区画された左右側の各空間部（符号省略）には棚板２７０が二段に設けられている。
【００４２】
前記機能性壁面部材２２ａは、背面部材である長方形状の背面板２２０ａを有しており、背面板２２０ａの内面側には多数の前記機能性壁面部材２２の機能性部材２２１と同様の機能性部材２２１が貼設されている。各機能性部材２２１は、それぞれがほぼ隙間なく並べて貼設され、周縁部が縦長の長方形状となるようにして、背面板２２０ａに前記機能性区域２２２、２２３と同様の機能性を有する機能性区域２２２ａが形成されている。
【００４３】
背面板２２０ａにおいて、各機能性区域２２２ａの周囲には、機能性部材２２１が貼設されていない所要幅（例えば１２０ｍｍ）の緩衝区域２２４ａが全周にわたり形成されている。緩衝区域２２４ａは、前記緩衝区域２２４と同様に、機能性壁面部材２２ａの組み込み作業に伴う応力と衝撃が各機能性部材２２１に対して直接伝わるのを防止又は軽減するために設けられている区域である。
【００４４】
なお、機能性壁面部材２２ａの組み込み構造、その作用及び製造方法については、前記木製収納家具Ｃ１とほぼ同様であるので、説明は省略する。
また、木製収納家具Ｃ２は、オープンボードであるので、各機能性部材２２１の作用によって、作業台を兼ねた収納部２６ａの空間だけでなく、木製収納家具Ｃ２が配置された台所等の部屋全体の空気環境を改善したり良好に維持することができる。
【００４５】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４６】
Ｃ１  木製収納家具
１  収納台部
１０、１１  側面板
１２  背面板
１３  下面板
１４  上面板
１５  下部収納部
１５０、１５１  引き戸
１５２  棚板
１６、１７、１８  引出収納部
２  収納棚部
２０、２１  側面板
２２  機能性壁面部材
２２０  背面板
２２１  機能性部材
２２２、２２３  機能性区域
２２４  緩衝区域
２３  天板
２３０  溝
２４  正面扉
２５  正面扉
２６  収納部
２６０  棚板
２７  区画板
２７０  通気窓
Ｃ２  木製収納家具
１ａ  収納台部
１０ａ、１１ａ  側面板
１２ａ  背面板
１３ａ  下面板
１４ａ  上面板
１５０ａ、１５１ａ  引き戸
１５ａ、１６ａ、１７ａ、１８ａ、１９ａ  引出収納部
２ａ  収納棚部
２０ａ、２１ａ  側面板
２２ａ  機能性壁面部材
２２０ａ  背面板
２２１  機能性部材
２２２ａ  機能性区域
２２４ａ  緩衝区域
２３ａ  天板
２４ａ、２５ａ  正面扉
２６ａ  収納部
２７ａ  上部収納部
２７０  棚板
２８ａ  区画板
【図１】
2013141503.tif 000003
【図２】
2013141503.tif 000004
【図３】
2013141503.tif 000005
【図４】
2013141503.tif 000006
【図５】
2013141503.tif 000007
【図６】
2013141503.tif 000008